(57)【特許請求の範囲】
【請求項１】
若干の伸縮性を有した柔軟な材料で形成された歩行補助具本体と、該歩行補助具本体の下方に展設される若干の伸縮性を有した柔軟な材料で形成された補助具本体下方部と、前記歩行補助具本体の上下方向に取着した大腿部の内側に当接するための略板状の大腿部内側当接板と、前記補助具本体下方部の上下方向に取着した下腿部の内側に当接するための略板状の下腿部内側当接板と、前記大腿部内側当接板と下腿部内側当接板とを回動可能に軸着した膝関節内側回動部と、前記歩行補助具本体と補助具本体下方部との夫々の水平方向に帯状に延設され先端に面ファスナーを取着した大腿部と下腿部とに捲着するための大腿部捲着部と下腿部捲着部と、大腿部の外側に当接するための略板状の大腿部外側当接板と、下腿部の外側に当接するための略板状の下腿部外側当接板と、前記大腿部外側当接板と下腿部外側当接板とを回動可能に軸着した膝関節外側回動部と、前記大腿部外側当接板を前記大腿部捲着部に前記下腿部外側当接板を前記下腿部捲着部に夫々取付け位置を移動可能に取着する夫々の取着手段と、を備え、前記取着手段は大腿部外側当接板と下腿部外側当接板の夫々上下方向の夫々の両端辺に長穴を形成し、該片側の長穴に裏面から表面に大腿部捲着部と下腿部捲着部とを夫々挿通させ、更に他側の長穴に表面から裏面に大腿部捲着部と下腿部捲着部とを夫々挿通させ、両面に面ファスナーを設けた面状の位置固定具を前記夫々の長穴に挿通させて折り返し内側の面ファスナーを合着させると共に、外側の面ファスナーを大腿部捲着部と下腿部捲着部の所定位置に夫々貼着させることを特徴とする膝関節の歩行補助具。
【発明の詳細な説明】
【０００１】
【発明の属する技術分野】
本発明は、膝関節の歩行補助具に関するものであり、更に、詳細には、膝関節に疾患を有する患者が歩行する際に、疼痛を大幅に軽減させると共に楽に歩行ができ、フリーサイズで誰にでもフィットする膝関節の歩行補助具に関するものである。
【０００２】
【従来の技術】
従来、この種の膝関節の歩行補助具は各種開発され使用されており、膝関節に疾患を有する者は恩恵に預かっているが、歩行の際は膝関節を前後方向に屈曲させながら歩行するものであり、その屈曲する膝関節の中心位置と歩行補助具の屈曲の中心位置が合致しないと不具合で顕著な効果は得られないものであり、その為に各患者の身体のサイズに合わせて製作するものであった。
【０００３】
【発明が解決しようとする課題】
然し乍ら、個々の患者に合わせて作成するためにはオーダーメイドと成り、製作の時間もかかり、又、高価なものと成っており、突然発生する膝関節の疾患には直ぐ対処できる膝関節の歩行補助具が切望されている実情である。
【０００４】
【課題を解決するための手段】
本発明は前述の課題に鑑みて、鋭意研鑽の結果、歩行補助具本体と、歩行補助具本体の下方に展設される補助具本体下方部と、歩行補助具本体に取着した大腿部内側当接板と、補助具本体下方部に取着した下腿部内側当接板と、大腿部内側当接板と下腿部内側当接板とを回動可能に軸着した膝関節内側回動部と、歩行補助具本体と補助具本体下方部とに延設され先端に面ファスナーを取着した大腿部捲着部と下腿部捲着部と、大腿部外側当接板と、下腿部外側当接板と、大腿部外側当接板と下腿部外側当接板とを軸着した膝関節外側回動部と、大腿部外側当接板を大腿部捲着部に下腿部外側当接板を下腿部捲着部に取付け位置を移動可能に取着する取着手段、を備え、取着手段は大腿部外側当接板と下腿部外側当接板との上下方向の両端辺に長穴を形成し、片側の長穴に裏面から表面に大腿部捲着部と下腿部捲着部とを夫々挿通させ、更に他側の長穴に表面から裏面に大腿部捲着部と下腿部捲着部とを夫々挿通させ、両面に面ファスナーを設けた面状の位置固定具を長穴に挿通させて折り返し内側の面ファスナーを合着させると共に、外側の面ファスナーを大腿部捲着部と下腿部捲着部の所定位置に貼着させるものである。
【０００５】
【発明の作用】
本発明の膝関節の歩行補助具は歩行補助具本体と補助具本体下方部とに夫々人体の膝関節の内側に当接する大腿部内側当接板と下腿部内側当接板を膝関節内側回動部を介して回動可能に取着し、歩行補助具本体と補助具本体下方部とに帯状に延設させた大腿部捲着部と下腿部捲着部と膝関節外側回動部を介して大腿部外側当接板と下腿部外側当接板とを夫々の取着手段によって移動可能に取着したことによって、太い足の人でも、細い足の人でも、長い足の人で、短い足の人でもその場で直ぐ合わせて装着することを可能としたものである。
【０００６】
本発明の目的は、膝関節に疾患を持つ患者の足のサイズに関係なく、誰でもが膝関節の屈曲させる中心位置と歩行補助具の屈曲する中心位置とを合致させて装着することができる膝関節の歩行補助具を提供するものである。
【０００７】
【発明の実施の形態】
以下、本発明の膝関節の歩行補助具の実施の形態について図面を参照しながら説明する。
【０００８】
図１は本発明の膝関節の歩行補助具の実施の形態の表側の展開図であり、図２は本発明の膝関節の歩行補助具の実施の形態の装着時の正面説明図であり、図３は本発明の膝関節の歩行補助具の実施の形態の取着手段の拡大説明図である。
【０００９】
本発明は、膝関節の歩行補助具に関するものであり、更に、詳細には、膝関節に疾患を有する患者が歩行する際に、疼痛を大幅に軽減させると共に楽に歩行ができ、フリーサイズで誰にでもフィットする膝関節の歩行補助具に関するものであり、若干の伸縮性を有した柔軟な材料で形成された歩行補助具本体１と、該歩行補助具本体１の下方に展設される若干の伸縮性を有した柔軟な材料で形成された補助具本体下方部２と、前記歩行補助具本体１の上下方向に取着した大腿部Ａの内側に当接するための略板状の大腿部内側当接板３と、前記補助具本体下方部２の上下方向に取着した下腿部Ｂの内側に当接するための略板状の下腿部内側当接板４と、前記大腿部内側当接板３と下腿部内側当接板４とを回動可能に軸着した膝関節内側回動部５と、前記歩行補助具本体１と補助具本体下方部２との夫々の水平方向に帯状に延設され先端に面ファスナー１ａａ．２ａａを取着した大腿部Ａと下腿部Ｂとに捲着するための大腿部捲着部１ａと下腿部捲着部２ａと、大腿部Ａの外側に当接するための略板状の大腿部外側当接板６と、下腿部Ｂの外側に当接するための略板状の下腿部外側当接板７と、前記大腿部外側当接板６と下腿部外側当接板７とを回動可能に軸着した膝関節外側回動部８と、前記大腿部外側当接板６を前記大腿部捲着部１ａに前記下腿部外側当接板７を前記下腿部捲着部２ａに夫々取付け位置を移動可能に取着する夫々の取着手段９と、を備え、前記取着手段９は大腿部外側当接板６と下腿部外側当接板７の夫々上下方向の夫々の両端辺に長穴６ａ．７ａを形成し、該片側の長穴６ａ．７ａに裏面から表面に大腿部捲着部１ａと下腿部捲着部２ａとを夫々挿通させ、更に他側の長穴６ａ．７ａに表面から裏面に大腿部捲着部１ａと下腿部捲着部２ａとを夫々挿通させ、両面に面ファスナー（図示せず）を設けた面状の位置固定具９ａを前記夫々の長穴６ａ．７ａに挿通させて折り返し内側の面ファスナーを合着させると共に、外側の面ファスナーを大腿部捲着部１ａと下腿部捲着部２ａの所定位置に夫々貼着させるものである。
【００１０】
即ち、本発明の膝関節の歩行補助具の歩行補助具本体１は、図１に図示する如く、若干の伸縮性を有した柔軟なパイル生地等の材料で適宜な厚みに形成されているもので、後述する大腿部Ａに捲着するための大腿部捲着部１ａを延設させているものである。
【００１１】
そして、補助具本体下方部２は歩行補助具本体１の下方に展設されるもので、前記歩行補助具本体１と同様な若干の伸縮性を有した柔軟なパイル生地等の材料で形成されており、後述する下腿部Ｂに捲着するための下腿部捲着部２ａを延設させているものである。
【００１２】
次いで、大腿部内側当接板３は大腿部Ａの内側に当接する細長い略板状のもので、人体の大腿部Ａの内側の形状に沿った形状が望ましく、耐久性と弾性復元力の強いポリエチレン等の合成樹脂で形成されているもので、前記歩行補助具本体１の上下方向に取着されているもので、実施の形態では歩行補助具本体１を二重に縫い合わせ、その間に挿入させているものである。
【００１３】
次に、下腿部内側当接板４は下腿部Ｂの内側に当接する上方に膝関節Ｃの自然の形状に合わせて後方に稍屈曲させたくの状の屈曲部を介した略板状のもので、人体の下腿部Ｂの内側の形状に沿った形状が望ましく、大腿部内側当接板３と同様な耐久性と弾性復元力の強いポリエチレン等の合成樹脂で形成されているもので、前記補助具本体下方部２の上下方向に取着されているもので、実施の形態では歩行補助具本体１を二重に縫い合わせて、その間に挿入させているものである。
【００１４】
更に、膝関節内側回動部５は大腿部内側当接板３の下端辺と下腿部内側当接板４の上端辺を回動軸によって回動可能に軸着しているもので、大腿部内側当接板３と下腿部内側当接板４との回動の中心であり、人体の膝関節Ｃの屈曲の中心位置に合致させるものである。
【００１５】
更には、大腿部捲着部１ａと下腿部捲着部２ａとは夫々歩行補助具本体１と補助具本体下方部２との水平方向に延設された帯状のもので、夫々の先端に面ファスナー１ａａ．２ａａを取着しているものであり、図１に図示する実施の形態では夫々２組を延設されており、更に、両側に延設しているものであるが、片側でもよく、その長さも問わないもので、大腿部捲着部１ａは大腿部Ａに捲着するものであり、下腿部捲着部２ａは下腿部Ｂに捲着されるものである。
【００１６】
そして、大腿部外側当接板６は前記大腿部内側当接板３と同様なものであり、大腿部Ａの外側に当接する細長い略板状のもので、人体の大腿部Ａの外側の形状に沿った若干湾曲させた形状が望ましく、耐久性と弾性復元力の強いポリエチレン等の合成樹脂で形成されているもので、前記歩行補助具本体１から延設された大腿部捲着部１ａに後述する取着手段９で取着させるものである。
【００１７】
次に、下腿部外側当接板７は前記大腿部外側当接板６と同様なものであり、下腿部Ｂの外側に当接する細長い略板状のもので、人体の下腿部Ｂの外側の形状に沿った形状が望ましく、耐久性と弾性復元力の強いポリエチレン等の合成樹脂で形成されているもので、前記補助具本体下方部２から延設された下腿部捲着部２ａに後述する取着手段９で取着させるものである。
【００１８】
次いで、膝関節外側回動部８は膝関節Ｃの外側に位置させるもので、前記大腿部外側当接板６の下端辺と前記下腿部外側当接板７の上端辺とを回動軸によって回動可能に軸着しているものである。
【００１９】
そして、取着手段９は前記大腿部外側当接板６を前記大腿部捲着部１ａに前記下腿部外側当接板７を前記下腿部捲着部２ａに所定の取付け位置に移動可能に取着するものである。
【００２０】
つまり、取付け位置を移動可能に取着する取着手段９とは、図３に図示する実施の形態では、大腿部外側当接板６と下腿部外側当接板７との上下方向の両側辺に大腿部捲着部１ａと下腿部捲着部２ａとを夫々挿通させる巾の長穴６ａ．７ａを夫々形成し、その片側の長穴６ａ．７ａに裏面から表面に大腿部捲着部１ａと下腿部捲着部２ａとを夫々挿通させ、更に、他側の長穴６ａ．７ａに表面から裏面に大腿部捲着部１ａと下腿部捲着部２ａとを夫々挿通させているもので、大腿部外側当接板６又は下腿部外側当接板７を左右にスライドさせることで取付け位置を移動可能にしているものである。
【００２１】
そして、位置固定具９ａは、両面に面ファスナー（図示しない）を備えた面状部材のものであり、大腿部外側当接板６と下腿部外側当接板７との両側辺に形成した長穴６ａ．７ａに挿通させて折り返し内側の面ファスナーを合着させて留めると同時に、位置固定具９ａの外側にも面ファスナーを備えており、該外側の面ファスナー大腿部捲着部１ａと下腿部捲着部２ａの所定位置に夫々固定されるものである。
【００２２】
本発明の膝関節の歩行補助具を人体の膝に装着するのは、先ず、足の内側の大腿部Ａに合わせて大腿部内側当接板３を当接すると共に、膝関節Ｃの屈曲の中心位置に膝関節内側回動部５を合わせて位置させ、更に、下腿部Ｂの内側に下腿部内側当接板４を当接させるものである。
【００２３】
次いで、歩行補助具本体１から延設させた大腿部捲着部１ａで大腿部Ａを捲着するものであるが、膝の外側の大腿部Ａに大腿部外側当接板６を、膝関節Ｃの屈曲の中心位置に膝関節外側回動部８、下腿部Ｂに下腿部外側当接板７を夫々当接させて、大腿部捲着部１ａで大腿部Ａを捲着させて、先端に設けた面ファスナー１ａａでワンタッチで装着できるものである。
【００２４】
この時、人体の膝関節Ｃの屈曲の中心位置に膝関節外側回動部８が当接しない場合は、前記取着手段９の位置固定具９ａの面ファスナーを取り外し、大腿部外側当接板６と大腿部捲着部１ａ、及び、下腿部外側当接板７と下腿部捲着部２ａを左右にスライドさせるものであり、スライドさせることによって、足の太い人でも、足の細い人でもぴったりフィットする位置に移動できるものである。
【００２５】
そして、位置が決定したら夫々の大腿部捲着部１ａと下腿部捲着部２ａを捲着させるものであり、若干の伸縮性を有した柔軟に材料で形成された、歩行補助具本体１、補助具本体下方部２、大腿部捲着部１ａ、下腿部捲着部２ａは人体の膝関節Ｃ及び大腿部Ａ及び下腿部Ｂに確りと装着されるものである。
【００２６】
本発明の膝関節の歩行補助具は足の膝の内側と外側に大腿部内側当接板３及び膝関節内側回動部５を介した下腿部内側当接板４、並びに、大腿部外側当接板６及び膝関節外側回動部８を介した下腿部外側当接板７が添設されることと成り、膝関節Ｃが左右に曲がること無く、前進方向に真っ直歩行ができるもので、特に、膝に疾患を有する患者の疼痛を和らげ、歩行を楽にするものである。
【００２７】
【発明の効果】
本発明の膝関節の歩行補助具は、前述した構成により、夫々若干の伸縮性を有した歩行補助具本体と補助具本体下方部とに夫々人体の膝関節の内側に当接する大腿部内側当接板と下腿部内側当接板を膝関節内側回動部を介して回動可能に取着し、歩行補助具本体と補助具本体下方部とに帯状に延設させた大腿部捲着部と下腿部捲着部と膝関節外側回動部を介して大腿部外側当接板と下腿部外側当接板とを夫々の取着手段によって移動可能に取着したことによって、太い足の人でも、細い足の人でも、長い足の人で、短い足の人でもその場で直ぐ合わせて装着することを可能としたものであり、汎用性があり廉価で提供できもので、画期的で実用性の高い発明である。
【００２８】
【図面の簡単な説明】
【図１】図１は本発明の膝関節の歩行補助具の実施の形態の表側の展開図である。
【図２】図２は本発明の膝関節の歩行補助具の実施の形態の装着時の正面説明図である。
【図３】図３は本発明の膝関節の歩行補助具の実施の形態の取着手段の拡大説明図である。
【００２９】
【符号の説明】
Ａ  大腿部
Ｂ  下腿部
Ｃ  膝関節
１  歩行補助具本体
１ａ  大腿部捲着部
１ａａ  面ファスナー
２  補助具本体下方部
２ａ  下腿部捲着部
２ａａ  面ファスナー
３  大腿部内側当接板
４  下腿部内側当接板
５  膝関節内側回動部
６  大腿部外側当接板
６ａ  長穴
７  下腿部外側当接板
７ａ  長穴
８  膝関節外側回動部
９  取着手段
９ａ  位置固定具
【図１】
0004671321.tif 000002
【図２】
0004671321.tif 000003
【図３】
0004671321.tif 000004